(57)【要約】【課題】第三者による洗濯物の取り出し等を防止しつつ、洗濯乾燥機等の稼働率の低下を防止できるコインランドリーを提供する。【解決手段】コインランドリー１は、洗濯物を出し入れする投入口６に配置される開閉扉７と、開閉扉７を施解錠する扉ロック８と、洗濯物処理運転が完了した後に利用料金を受け付ける後払い料金受付部３０と、を備え、扉ロック８は、料金受付部１２から料金完済情報を受け取るまで開閉扉７を施錠し続ける。【選択図】図４
2019165863.tif 000002
【特許請求の範囲】
【請求項１】
洗濯物を出し入れする投入口に配置される開閉扉と、
前記開閉扉を施解錠する扉ロックと、
洗濯物処理運転が完了した後に利用料金を受け付ける後払い料金受付部と、
を備え、
前記扉ロックは、前記後払い料金受付部から料金完済情報を受け取るまで前記開閉扉を施錠し続けるコインランドリー。
【請求項２】
洗濯物処理運転の完了を判断する洗濯物処理完了判断部と、
洗濯物処理運転の完了までの内容に応じて利用料金を決定する利用料金決定部と、
を備える、請求項１に記載のコインランドリー。
【請求項３】
前記利用料金決定部は、洗濯物処理運転が完了した後に所定時間を経過しても前記後払い料金受付部から料金完済情報を受け取れないときは、前記利用料金に超過料金を加算する、請求項２に記載のコインランドリー。
【請求項４】
前記利用料金決定部は、前記所定時間を経過した後の超過時間に応じた加重超過料金を前記超過料金に加算する、請求項３に記載のコインランドリー。
【請求項５】
洗濯槽内の温度を測定する温度センサーを備え、
前記洗濯物処理完了判断部は、前記温度センサーの測定値に基づいて洗濯物処理運転の完了を判断する、請求項２から４のうちいずれか一項に記載のコインランドリー。
【請求項６】
洗濯槽内の湿度を測定する湿度センサーを備え、
前記洗濯物処理完了判断部は、前記湿度センサーの測定値に基づいて洗濯物処理運転の完了を判断する、請求項２から５のうちいずれか一項に記載のコインランドリー。
【発明の詳細な説明】
【技術分野】
【０００１】
本発明の実施形態は、利用料金の支払に応じて、衣類やシーツ等の洗濯物に対して洗濯や乾燥等の処理を行うコインランドリーに関する。
【背景技術】
【０００２】
洗濯乾燥機等のコインランドリーは、複数の工程を経て洗濯物に対する処理を行う。洗濯処理においては、洗濯工程、すすぎ工程、脱水工程等を経て洗濯物を処理する。乾燥処理においては、乾燥工程、冷却工程等を経て洗濯物を処理する。
洗濯乾燥機においては、洗濯工程、すすぎ工程、脱水工程、乾燥工程、冷却工程を連続実行して、洗濯物に対して洗濯処理と乾燥処理を行う。
【先行技術文献】
【特許文献】
【０００３】
【特許文献１】特開２００５−３４１９８１号公報
【発明の概要】
【発明が解決しようとする課題】
【０００４】
洗濯処理や乾燥処理には、数十分から１時間程度を要する。このため、ユーザーがコインランドリーから離れて、洗濯等が終了しても洗濯物が洗濯乾燥機等の内部に放置されることがある。このとき、第三者により洗濯物が洗濯乾燥機等から勝手に取り出されと、ユーザーが不快に思ったり、盗難のおそれ等もあった。
そこで、開閉扉をロックして第三者が洗濯物に触れないようにした機能を備える洗濯乾燥機等もある。
しかしながら、コインランドリーの経営者にとっては、開閉扉をロックして第三者による洗濯物の取り出しを防止すると、洗濯物が洗濯乾燥機等の内部に放置される時間が延びて洗濯乾燥機等の稼働率が低下するリスクがある。
【０００５】
本発明は、上記した事情に鑑み提案されたものであり、第三者による洗濯物の取り出し等を防止しつつ、洗濯乾燥機等の稼働率の低下を防止できるコインランドリーを提供することを目的とする。
【課題を解決するための手段】
【０００６】
実施形態のコインランドリーは、洗濯物を出し入れする投入口に配置される開閉扉と、前記開閉扉を施解錠する扉ロックと、洗濯物処理運転が完了した後に利用料金を受け付ける後払い料金受付部と、を備え、前記扉ロックは、前記後払い料金受付部から料金完済情報を受け取るまで前記開閉扉を施錠し続けることを特徴とする。
【０００７】
また、実施形態のコインランドリーは、洗濯物処理運転の完了を判断する洗濯物処理完了判断部と、洗濯物処理運転の完了までの内容に応じて利用料金を決定する利用料金決定部と、前記利用料金を受け付ける後払い料金受付部と、を備えることを特徴とする。
【０００８】
また、実施形態のコインランドリーは、前記利用料金決定部は、洗濯物処理運転が完了した後に所定時間を経過しても前記後払い料金受付部から料金完済情報を受け取れないときは、前記利用料金に超過料金を加算することを特徴とする。
【０００９】
また、実施形態のコインランドリーは、前記利用料金決定部は、前記所定時間を経過した後の超過時間に応じた加重超過料金を前記超過料金に加算することを特徴とする。
【００１０】
また、実施形態のコインランドリーは、洗濯槽内の温度を測定する温度センサーを備え、
前記洗濯物処理完了判断部は、前記温度センサーの測定値に基づいて洗濯物処理運転の完了を判断することを特徴とする。
【００１１】
また、実施形態のコインランドリーは、洗濯槽内の湿度を測定する湿度センサーを備え、前記洗濯物処理完了判断部は、前記湿度センサーの測定値に基づいて洗濯物処理運転の完了を判断することを特徴とする。
【図面の簡単な説明】
【００１２】
【図１】実施形態のコインランドリーを示す正面図である。
【図２】コインランドリーの概略構成を示す模式図である。
【図３】コインランドリーの制御系統を示すブロック図である。
【図４】洗濯物処理運転を示すフローチャート図である。
【発明を実施するための形態】
【００１３】
以下、実施形態のコインランドリー１を図面を参照して説明する。各図において、同一構成については同一の符号を付す。
【００１４】
〔コインランドリー１〕
図１は、実施形態のコインランドリー１を示す正面図である。
図２は、コインランドリー１の概略構成を示す模式図である。
図３は、コインランドリー１の制御系統を示すブロック図である。
【００１５】
コインランドリー１は、利用料金の支払いを要する洗濯乾燥機等である。
コインランドリー１は、直方体形の筐体２と、この筐体２の内部に配置された外胴３およびドラム４を備える。
外胴３は、横向きの有底円筒体であり、筐体２の内部に配置される。ドラム４も横向きの有底円筒体であり、外胴３の内部に配置される。
【００１６】
筐体２は、フロントパネル２ａのほぼ中央に、円形状のパネル開口２ｂを有する。外胴３は、衣類やシーツなどの洗濯物を出し入れする投入口６を有し、この投入口６がパネル開口２ｂに露出するように固定される。
フロントパネル２ａには、投入口６を開閉する開閉扉７が配置される。開閉扉７は、投入口６閉塞できる円板形を有し、中央部分には窓が設けられる。開閉扉７と投入口６の縁部との間には、気密性を高めるためのシール材（不図示）が配置される。
【００１７】
投入口６の縁部には、ハンドル式の扉ロック８が設けられる。利用者は、ハンドルを用いて開閉扉７を開閉したり、開閉扉７をラッチ（空締まり）したり、ラッチを外したりできる。
また、扉ロック８は、後述する制御部３０により開閉扉７の施錠と解錠が制御される。すなわち、制御部３０は、開閉扉７を閉じてラッチした状態でハンドルを固定することができる。つまり、制御部３０は、扉ロック８により開閉扉７を施錠して投入口６を密閉した状態を維持できる。
一方、制御部３０が開閉扉７を解錠すると、手動でハンドルを引いてラッチを外すことが可能になり、さらに開閉扉７を開いて投入口６を開放できる。
扉ロック８には、開閉扉７を閉じてラッチした状態を検出する開閉センサー４１も設けられる。開閉センサー４１は、検出データを制御部３０に出力する。
【００１８】
外胴３は、給水管１５や排水管１６が接続される。外胴３は、給水管１５から供給された水を貯留したり、貯留された水を排水管１６を介してコインランドリー１の外部に排出したりする。
外胴３には、水位を検出する水位センサー４２が設けられる。水位センサー４２は、検出データを制御部３０に出力する。
【００１９】
外胴３には、乾燥用の温風を供給する温風供給路２０と温風排出路２１が接続される。
温風供給路２０には、加熱ユニット２２や過熱防止装置、安全装置等が配置される。加熱ユニット２２は、ガスバーナーである。
温風排出路２１には、フィルタ、ファン２３、過熱防止装置、チャッキダンバー等が配置される。
ファン２３を回転させると、温風供給路２０に導入した空気が加熱ユニット２２により加熱されて、外胴３に温風が供給される。これにより、ドラム４に投入された洗濯物が乾燥する。そして、湿気を含んだ空気が外胴３から温風排出路２１に導入されて、外部に排出される。
【００２０】
温風排出路２１の下流には、温度センサー１８が配置される。温度センサー１８は、外胴３から温風排出路２１に導入された空気の温度を測定する。そして、温度センサー１８は、測定データーを制御部３０に出力する。
【００２１】
ドラム４は、外胴３に対して隙間を隔てつつ、その開口が外胴３の投入口６に一致するように配置される。ドラム４は、後方に向けて延びる回転軸（不図示）を有し、この回転軸が外胴３により回転可能に支持される。
回転軸の後端には、モータ２８等を備える回転駆動部が接続される。回転駆動部は、モータ２８の回転をプーリとベルトを介して回転軸に伝達して、ドラム４を回転駆動する。
【００２２】
フロントパネル２ａの上部には、操作入力部１１が配置される。操作入力部１１は、制御部３０に接続されており、利用者が洗濯物処理運転に対する操作を行う。
操作入力部１１に隣接して、表示部が配置される。表示部は、洗濯物処理運転に関する情報等を表示する。したりする。表示部には、洗濯物処理運転に関する情報として、例えばコインランドリー１の利用時間、利用料金（超過料金、加重超過料金を含む）が表示される。
【００２３】
操作入力部１１の右側には、料金受付部１２が配置される。料金受付部（後払い料金受付部）１２は、コインランドリー１の洗濯物処理運転が完了した後に、利用料金を受け付ける。
料金受付部１２は、利用料金として、金銭の他、クレジットカードや各種ポイント等による支払いも受け付けることができる。
利用者が料金受付部１２に金銭等を投入すると、料金受付部１２は、投入された金銭等を計算して、利用料金（超過料金、加重超過料金を含む）を満たしている場合は、料金完済情報を制御部３０に出力する。なお、料金受付部１２と制御部３０が協働して、料金完済を判断してもよい。
【００２４】
筐体２の内部には、コインランドリー１を統括的に制御する制御部３０が配置される。制御部（洗濯物処理完了判断部、利用料金決定部）３０は、例えばＣＰＵ，ＲＯＭ，ＲＡＭ等からなるマイクロコンピュータにより構成される。
制御部３０は、ドラム４に投入された洗濯物に対する洗濯物処理運転（洗濯処理、乾燥処理）を、予め設定された複数の運転工程を経て行う制御を実行する。
【００２５】
〔洗濯物処理運転：利用料金後払い〕
次に、コインランドリー１の洗濯物処理運転について説明する。特に、利用料金の後払いについて説明する。
図４は、洗濯物処理運転を示すフローチャート図である。
【００２６】
まず、利用者は、コインランドリー１の開閉扉７を開いて、投入口６から洗濯物をドラム４に投入する（Ｓｔｅｐ１）。そして、利用者は、開閉扉７を閉じて、扉ロック８により開閉扉７をラッチする。
さらに、利用者は、操作入力部１１を操作して、洗濯コース（洗濯物処理）等を選択した後に、運転開始ボタンを押下する（Ｓｔｅｐ２）。
【００２７】
操作入力部１１の運転開始ボタンが押下されると、制御部３０は、開閉扉７の開閉センサー４１からの入力信号に基づいて開閉扉７のラッチを確認し、扉ロック８により開閉扉７を施錠する（Ｓｔｅｐ３）。
そして、制御部３０は、外胴３の水位センサー４２や温度センサー１８からの入力信号を受信しつつ、給水管１５や排水管１６の制御弁、モータ２８、ファン２３、加熱ユニット２２等を制御して、洗濯物処理運転（洗濯処理、乾燥処理）を行う（Ｓｔｅｐ４）。
【００２８】
洗濯処理の洗浄工程では、制御部３０は、給水管１５から外胴３に所定量の水を供給し、回転駆動部のモータ２８によりドラム４を正逆回転、強弱回転等させる。
【００２９】
洗浄工程が終了すると、制御部３０は、濯ぎ工程を開始する。濯ぎ工程では、排水管１６の制御弁を開放して外胴３に貯留された水を排水管１６から排出した後、再び給水管１５から外胴３に所定量の水を供給してドラム４を回転させる。
濯ぎが終了すると、制御部３０は、排水管１６の制御弁を開放して外胴３に貯留された水を排水管１６から全て排出する。
【００３０】
濯ぎ工程が終了すると、制御部３０は、脱水工程を開始する。脱水工程では、排水管１６の制御弁を開放した状態で、回転駆動部によりドラム４を一方向に回転させて、その遠心力により洗濯物の脱水を行う。
【００３１】
次に、制御部３０は、洗濯処理から乾燥処理に移行する。
まず、乾燥工程では、制御部３０は、回転駆動部によりドラム４を一方向に回転させながら、ファン２３、加熱ユニット２２を駆動させる。
すなわち、制御部３０は、ファン２３を駆動して、加熱ユニット２２により昇温した空気（温風）を温風供給路２０を介して外胴３に供給する。この温風にドラム４の洗濯物（脱水された洗濯物）を晒して乾燥させる。そして、制御部３０は、ファン２３を駆動して、洗濯物から蒸発した水分を含んだ温風を温風排出路２１を介して外部に排出させる。
【００３２】
制御部３０は、乾燥工程において、温度センサー１８からの入力信号に基づいて洗濯物の乾燥状態を判定する（Ｓｔｅｐ５）。例えば、温度センサー１８の測定値（温度）が６０℃以上になると、洗濯物が乾燥したと判定する。
【００３３】
制御部３０は、洗濯物が乾燥したと判定したら、冷却工程を行う。冷却工程では、加熱ユニット２２を停止させて、回転駆動部によりドラム４を一方向に回転させながら、ファン２３のみを駆動させる。そして、利用者が火傷をしない程度の温度まで洗濯物を冷して、洗濯物処理運転を完了させる。
このように、制御部３０は、温度センサー１８からの入力信号に基づいて洗濯物処理運転の完了を判断する。
【００３４】
次いで、制御部３０は、洗濯物処理運転の完了まで内容に応じて利用料金を決定する（Ｓｔｅｐ６）。例えば、洗濯物が１０ｋｇ、洗濯処理が２０分、乾燥処理が４０分であった場合は、制御部３０は、利用料金を１６００円と決定する。そして、制御部３０は、この金額を操作入力部１１に表示して、利用者の料金支払いを促す。
利用料金は、洗濯物処理運転の開始から完了までの時間に応じた金額に限らない。利用料金は、洗濯物処理運転に要した水量やガス量、電力量等に応じた金額であってもよい。
【００３５】
次いで、制御部３０は、洗濯物処理運転の完了後から計時を開始する。そして、制御部３０は、この計時により洗濯物処理運転完了後からの経過時間を判断する（Ｓｔｅｐ７）。
この計時は、洗濯物が放置された時間に応じた超過料金（加重超過料金を含む）を算出するために行われる。制御部３０は、例えば１分単位で計時を行う。
【００３６】
次いで、制御部３０は、Ｓｔｅｐ７で計時した経過時間に応じて、超過料金の有無、加算を行う（Ｓｔｅｐ８〜１０）
【００３７】
Ｓｔｅｐ７において洗濯物処理運転完了後からの経過時間が所定時間未満と判断されたときは、超過料金は発生させない（Ｓｔｅｐ８）。
所定時間は、例えば１０分である。つまり、経過時間が０分から９分までは、利用料金は１６００円のままである。
洗濯物処理運転が完了した直後から超過料金を加算すると、利用者に過度な負担を与えてしまうため、１０分程度の猶予（所定時間）が設定される。
次いで、後述するように、ステップ１１に移り、料金完済情報の入力の有無を判断する。
【００３８】
Ｓｔｅｐ７において、洗濯物処理運転完了後からの経過時間が所定時間（例えば１０分）と判断されたときは、超過料金を加算する（Ｓｔｅｐ９）。
経過時間が１０分になると、超過料金として例えば１００円を加算する。したがって、利用料金は、Ｓｔｅｐ６で決定した１６００円に、超過料金の１００円を加算した１７００円に設定される。
制御部３０は、利用料金（１７００円）を表示部に表示して、利用者の料金支払いを促す。
次いで、後述するように、ステップ１１に移り、料金完済情報の入力の有無を判断する。
【００３９】
Ｓｔｅｐ７において、洗濯物処理運転完了後からの経過時間が所定時間（例えば１０分）を超えたと判断されたときは、加重超過料金を加算する（Ｓｔｅｐ１０）。
経過時間が１１分以上になると、加重超過料金として、例えば１分毎に１０円を加算する。加重超過料金は、所定時間を経過した後の時間（超過時間）に応じた料金である。
このＳｔｅｐ１０がＳｔｅｐ９を経た後に行われる処理であるため、利用料金は、１７００円に、加重超過料金の１０円を加算した１７１０円に設定される。
制御部３０は、利用料金（１７１０円）を表示部に表示して、利用者の料金支払いを促す。
次いで、後述するように、ステップ１１に移り、料金完済情報の入力の有無を判断する。
【００４０】
Ｓｔｅｐ８〜１０を経た後に、制御部３０は、合計料金を算出する。そして、制御部３０は、利用者が料金受付部１２に金銭等を投入して、合計料金（利用料金、超過料金、加重超過料金）を完済したか否かを判断する。すなわち、制御部３０は、料金受付部１２から料金完済情報が入力されたか否かを判断する（Ｓｔｅｐ１１）。
【００４１】
ステップ１１において、合計料金が完済されたと判断したときは、扉ロック８を解錠する（Ｓｔｅｐ１２）。
これにより、利用者は、開閉扉７を開いて投入口６を開放し、洗濯物をドラム４から取り出すことができる（Ｓｔｅｐ１３）。
【００４２】
一方、ステップ１１において、合計料金が完済されていないと判断したときは、制御部３０は、Ｓｔｅｐ７に戻って、洗濯物処理運転完了後からの経過時間を判断する。
例えば、洗濯物処理運転完了後からの１５分経過してもなお、合計料金が完済されていない場合は、Ｓｔｅｐ８とＳｔｅｐ９を経てＳｔｅｐ１０が５回処理される。したがって合計料金は、１６００円に超過料金１００円と加重超過料金５０円を加算した１７５０円に設定される。
制御部３０は、合計料金（１７５０円）を表示部に表示して、利用者の料金支払いを促す。
このように、制御部３０は、料金受付部１２から合計料金（利用料金、超過料金、加重超過料金）の料金完済情報が入力されるまで、扉ロック８により開閉扉７を施錠し続ける（Ｓｔｅｐ７〜１１）。
【００４３】
そして、上述したように、利用者が合計料金を料金受付部１２に投入して完済すると、初めて扉ロック８を解錠する（Ｓｔｅｐ１２）。
これにより、利用者は、開閉扉７を開いて投入口６を開放し、洗濯物をドラム４から取り出すことができる（Ｓｔｅｐ１３）。
【００４４】
以上説明したように、コインランドリー１は、開閉扉７を施解錠する扉ロック８、利用料金を受け付ける料金受付部１２を備える。そして、料金受付部１２から料金完済情報を受け取るまで、扉ロック８により開閉扉７を施錠し続ける。
このため、洗濯物処理運転の完了後に、第三者による洗濯物の取り出し等を防止することができる。
【００４５】
また、制御部３０は、洗濯物処理運転の完了を判断すると共に、洗濯物処理運転の完了までの内容に応じた利用料金が決定する。このため、適切な料金を設定することができる。
しかも、利用料金を後払いすることにより、扉ロック８を解錠して開閉扉７を開くので、特別な鍵等を用意する必要がなく、装置コストや運転コストの上昇を抑えることができる。
【００４６】
また、制御部３０は、洗濯物処理運転が完了した後に所定時間を経過しても利用料金の支払いがないときは、利用料金に超過料金を加算する。このため、コインランドリー１に洗濯物が放置されて稼働率が低下したとしても、コインランドリー１に洗濯物が放置された時間に応じた料金収入が得られる。したがって、コインランドリー１の売り上げ向上や経営の安定に貢献できる。
【００４７】
また、制御部３０は、所定時間を経過した後の超過時間に応じた加重超過料金を超過料金に加算するので、利用者に精神的な負担を与えて料金支払いを促すことができる。
【００４８】
また、制御部３０は、温度センサー１８の測定値に基づいて洗濯物処理運転の完了を判断するので、無駄な乾燥処理を抑えることができる。
利用者にとっては、廉価な利用料金でコインランドリー１を利用できる。また、経営者にとっても、コインランドリー１の稼働率が向上するので売り上げ向上や経営の安定に貢献できる。
【００４９】
本発明の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００５０】
上記実施形態では、洗濯処理と乾燥処理とを実行可能なコインランドリー１を例示して説明したが、本発明はこれに限定されない。例えば、洗濯物に対して洗濯処理のみを実行する洗濯機に本発明を適用してもよいし、あるいは、洗濯物に対して乾燥処理のみを実行する乾燥機に本発明を適用してもよい。
【００５１】
上記実施形態では、水を使用して洗濯を行う水洗タイプの機器を例示して説明したが、本発明はこれに限定されない。例えば、石油系溶剤等の溶剤を使用して洗濯を行うドライクリーニングタイプの洗濯機（洗濯乾燥機）に本発明を適用してもよい。
【００５２】
上記実施形態では、洗濯物処理運転の完了（洗濯物の乾燥）の判断基準として、温度センサー１８の測定値（温度）が所定温度以上の場合について説明したが、これに限らない。
判断基準として、例えば温度センサー１８の測定値の変化率（単位時間当たりの温度の変化率）を用いてもよい。測定値と測定値の変化率の両方を用いてもよい。
【００５３】
上記実施形態では、温度センサー１８を用いる場合について説明したが、湿度センサーを用いてもよい。温度センサー１８と湿度センサーの両方を用いてもよい。
【００５４】
上記実施形態では、制御部３０が洗濯物処理運転が完了してから利用料金を決定する場合について説明したが、これに限らない。例えば、洗濯物処理運転の開始から完了までの間に、処理時間等を予想して利用料金を決定する場合等であってもよい。例えば、複数回に分けて利用料金を決定する場合であってもよい。
【００５５】
上記実施形態では、洗濯物処理運転完了後から所定時間（１０分）以内は超過料金が発生しない場合について説明したが、これに限らない。洗濯物処理運転完了の直後から超過料金が発生する場合であってもよい。
【００５６】
上記実施形態では、超過料金が時間に応じて増額される（加重超過料金を加算する）場合について説明したが、これに限らない。超過料金が一定額の場合であってもよい。
また、超過時間に比例して一定額の加重超過料金を加算する場合に限らず、加重超過料金を指数関数的に漸増させる場合であってもよい。
【００５７】
操作入力部１１や料金受付部１２が筐体２に配置される場合について説明したが、これに限らない。操作入力部や料金受付部が筐体とは別に配置される場合であってもよい。すなわち、各コインランドリーがそれぞれ料金受付部等を備える分離型に限らず、いわゆる集中精算機方式により複数のコインランドリーの操作や支払を受け付ける場合であってもよい。
【符号の説明】
【００５８】
１  コインランドリー  
３  外胴  
４  ドラム  
６  投入口  
７  開閉扉  
８  扉ロック  
１１  操作入力部  
１２  料金受付部（後払い料金受付部）  
１８  温度センサー  
３０  制御部（洗濯物処理完了判断部、利用料金決定部）  
【図１】
2019165863.tif 000003
【図２】
2019165863.tif 000004
【図３】
2019165863.tif 000005
【図４】
2019165863.tif 000006